(57)【要約】【課題】回転ドラムの回転に伴う振動が洗濯機筐体に伝わるのを抑制する支持構造を備えたドラム式洗濯機を提供する。【解決手段】回転ドラム２を水槽３内に収容した水槽ユニット５をその重心位置より正面寄りの位置で下方から防振ダンパー７０により支持し、水槽ユニット５の上部を正面側に第１のコイルバネ７１により弾性付勢すると共に、更に複数の第２のコイルバネ７２ａ、７２ｂによって水槽ユニットの下方を背面側に弾性付勢する。【選択図】図３
2006034755.tif 000002
【特許請求の範囲】
【請求項１】
有底円筒状に形成された水槽内に配設された有底円筒形の回転ドラムの底面中心に固定された回転軸を水槽の底面に固定された軸受によって軸支すると共に回転軸にドラム駆動モータを連結してなる水槽ユニットを洗濯機筐体内に配置し、前記洗濯機筐体の基底部に下端が固定された防振ダンパーにより前記水槽ユニットをその重心位置より正面側寄りの位置で支持し、水槽ユニットを防振ダンパーによる支持高さ位置より上方で少なくとも正面側に弾性付勢する第１の付勢手段が設けられると共に、水槽ユニットを防振ダンパーによる支持高さ位置より下方で少なくとも背面側に弾性付勢する複数の第２の付勢手段が設けられてなることを特徴とするドラム式洗濯機。
【請求項２】
第２の付勢手段は、回転ドラムの重心位置に対し上面から見て略対称の位置に配設されてなる請求項１項に記載のドラム式洗濯機。
【請求項３】
第２の付勢手段は、洗濯機筐体側の支持位置が回転ドラム側の支持位置に対し、回転ドラムを上面から見て外側の位置に配設されてなる請求項１および２項に記載のドラム式洗濯機。
【請求項４】
第２の付勢手段は、バネ定数の値が異なる部品を配設されてなる請求項１〜３いずれか一項に記載のドラム式洗濯機。
【請求項５】
水槽ユニットは、回転ドラムの回転軸心が正面側から背面側に向けて下向き傾斜となるように洗濯機筐体内に配設されてなる請求項１〜４いずれか一項に記載のドラム式洗濯機。
【発明の詳細な説明】
【技術分野】
【０００１】
本発明は洗濯物を収容した回転ドラムを回転駆動して洗濯、すすぎ、脱水の各工程を行うドラム式洗濯機に関するものである。
【背景技術】
【０００２】
従来、ドラム式洗濯機は回転ドラムをその回転軸心が水平方向あるいは水平方向から傾斜した状態にして水槽内に配設されているため、回転ドラム内に洗濯物を収容して回転させると、洗濯物や水が下方に偏りがちになるため振動が発生しやすくなる。特に、回転ドラムを高速回転させて脱水工程を実施するとき、回転ドラム内の洗濯物が偏った位置に集まっていると、回転ドラムを収容する水槽に大きな振動が発生する。このような回転ドラムの回転に伴う振動を抑制するために、水槽を緩衝力の大きな防振ダンパーによって支持して振動振幅を低減したものが知られている（例えば、特許文献１参照）。
【特許文献１】特開平６−３２７８９２号公報（第２〜４頁、図１）
【発明の開示】
【発明が解決しようとする課題】
【０００３】
しかしながら、このような従来の回転ドラムを収容した水槽は、その後方に回転ドラムの回転軸を軸支する軸受やドラム駆動モータなどが取り付けられるため、重量バランスは後方側に偏った状態になっている。このような水槽を防振ダンパーで支持するとき、水槽の略重心位置の下方に防振ダンパーを配することになるが、回転ドラム内で洗濯物や水が移動する水槽を偏った位置で支持していると非常に不安定な状態になるため、水槽の前方側に重りを取り付けて前後の重量バランスを整え、防振ダンパーを水槽の下方中央に配し、回転ドラムの回転により重心が絶えず移動する水槽のバランスを保つため水槽の上部を複数のスプリング部材で弾性的に引っ張り付勢している。
【０００４】
上記のごとき従来構造では、水槽の振動を吸収しバランスを保つための構成要素が多く、特に重りなどの重量の大きな構成要素が存在するため、ドラム式洗濯機としての重量増加をまねき、移動運搬の労力が大きく、コストアップにもつながる課題があった。
【０００５】
本発明は、上記従来の課題を解決するもので、回転ドラムを収容した水槽の振動を効果的に抑制すると共に重量増加をまねくことなくバランスを保持する支持構造を備えたドラム式洗濯機を提供することを目的としている。
【課題を解決するための手段】
【０００６】
本発明は上記目的を達成するために、洗濯機は、回転ドラムを水槽内に収容した水槽ユニットをその重心位置より正面寄りの位置で下方から防振ダンパーにより支持し、水槽ユニットの上部を正面側に第１のコイルバネにより弾性付勢すると共に、更に複数の第２のコイルバネによって水槽ユニットの下方を背面側に弾性付勢したドラム式洗濯機である。
【０００７】
これにより、水槽ユニットは洗濯機筐体内の所定位置に保持されるとともに、水槽ユニットの下部の振動を抑えることができ、低振動化を実現できるものである。
【発明の効果】
【０００８】
本発明の洗濯機は、重心位置が背面側に偏っている水槽ユニットを洗濯機筐体内にバランスよく支持することができ、弾性支持によって水槽ユニットに加わる振動を効果的に抑制する制振構造が構成できる。
【発明を実施するための最良の形態】
【０００９】
第１の発明に係るドラム式洗濯機は、有底円筒状に形成された水槽内に配設された有底円筒形の回転ドラムの底面中心に固定された回転軸を水槽の底面に固定された軸受によって軸支すると共に回転軸にドラム駆動モータを連結してなる水槽ユニットを洗濯機筐体内に配置し、前記洗濯機筐体の基底部に下端が固定された防振ダンパーにより前記水槽ユニットをその重心位置より正面側寄りの位置で支持し、水槽ユニットを防振ダンパーによる支持高さ位置より上方で少なくとも正面側に弾性付勢する第１の付勢手段が設けられると共に、水槽ユニットを防振ダンパーによる支持高さ位置より下方で少なくとも背面側に弾性付勢する複数の第２の付勢手段が設けられてなることを特徴とする。
【００１０】
上記構成によれば、水槽内に回転ドラムを収容した水槽ユニットはその重心位置より正面側寄りの位置で下方から防振ダンパーにより支持されるので、水槽ユニットの重量が防振ダンパーの制振作用を伴って支持される。重心位置から位置ずれした位置で支持されることによって背面側に倒れようとする水槽ユニットは第１の付勢手段と第２の付勢手段によって水槽ユニットの上方が正面側に弾性付勢されることによって補正されると共に、第２の付勢手段が複数の位置で補正するため、前後方向だけでなく左右方向の振動に対しても弾性付勢されることにより補正されるので、水槽ユニットは洗濯機筐体内の所定位置に保持されるとともに、水槽ユニットの上部と下部の振動を抑えることができ、低振動化を実現できる。
【００１１】
第２の発明は、上記第１の発明において、第２の付勢手段は、回転ドラムの重心位置に対し上面から見て略対称の位置に配設されてなることを特徴とする。
【００１２】
上記構成によれば、水槽内に回転ドラムを収容した水槽ユニットは、その重心位置に回転方向に働く横振動に対し、第２の付勢手段が重心に対して略対称に支持することで回転方向に対して均等に補正を行い、水槽ユニットは洗濯機筐体内の所定位置に保持されるとともに、水槽ユニットの回転方向の振動を抑えることができ、低振動化を実現できる。
【００１３】
第３の発明は、上記第１および第２の発明において、第２の付勢手段は、洗濯機筐体側の支持位置が回転ドラム側の支持位置に対し、回転ドラムを上面から見て外側の位置に配設されてなることを特徴とする。
【００１４】
上記構成によれば、水槽内に回転ドラムを収容した水槽ユニットは、その重心位置に回転方向に働く横振動に対し、第２の付勢手段が洗濯機筐体側の支持位置から回転ドラムの重心方向に支持しているため、水槽ユニットの回転方向の振動をより効果的に抑えることができ、低振動化を実現できる。
【００１５】
第４の発明は、上記第１、２および第３の発明において、第２の付勢手段は、バネ定数の値が異なる部品を配設されてなることを特徴とする。
【００１６】
上記構成によれば、水槽内に回転ドラムを収容した水槽ユニットは、周囲に乾燥ユニットや給水ユニットを配設して構成する場合、水槽ユニットの重心位置が左右非対称になる場合があり、回転方向にかかる力は不均一になってしまう。その場合重心が偏っている側に大きな力がかかるため、第２の付勢手段の左右バネのバネ定数を重心が偏っている側を強くすることで水槽ユニットの回転方向の振動をより効率的に抑えることができ、低振動化を実現できる。
【００１７】
第５の発明は、上記第１、２、３および第４の発明において、水槽ユニットは、回転ドラムの回転軸心が正面側から背面側に向けて下向き傾斜となるように洗濯機筐体内に配設されてなることを特徴とする。
【００１８】
上記構成によれば、上記第１〜４の発明に係る水槽ユニットは、回転ドラムの回転軸心が正面側から背面側に向けて下向き傾斜となるように洗濯機筐体内に配設した場合において、より効果的に水槽ユニットを所定位置に弾性保持することができ、低振動化を実現できる。
【００１９】
以下、本発明の実施の形態について、図面を参照しながら説明する。なお、従来例と同じ構成のものは同一符号を付して説明を省略する。また、この実施の形態によって本発明が限定されるものではない。
【００２０】
（実施の形態１）
図１、図２、図３は、実施形態に係るドラム式洗濯機１における水槽ユニット５の支持構造を示すものである。前記水槽ユニット５は、水槽３内に回転ドラム２を収容し、回転ドラム２の回転軸２ａを水槽３の背面に設けられた軸受６８で軸支すると共に回転軸２ａにドラム駆動モータ７を連結して構成されている。この水槽ユニット５は洗濯機筐体６内に前上がりの状態に傾斜させて配設され、洗濯機筐体６の基底部に取り付けられた左右一対の防振ダンパー７０によって、その重量が支持されている。水槽ユニット５は、その背面側に軸受６８やドラム駆動モータ７などの重量の大きな構成要素が取り付けられているため、重心位置は背面寄りにあり、防振ダンパー７０は水槽ユニット５をその重心位置より正面側寄りの下方で支持している。更に、水槽３の上部に固定された上部支持金具７５と洗濯機筐体６の上面との間に第１のコイルバネ（第１の付勢手段）７１が架設され、水槽ユニット５を正面側及び上方側に向けて付勢している。この第１のコイルバネ７１の架設により重心位置より正面側寄りで防振ダンパー７０により支持された水槽ユニット５が背面側に倒れる状態になるのが補正される。
【００２１】
この第１のコイルバネ７１に加えて水槽ユニット５の防振ダンパー７０による支持高さ位置より下方の背面と、洗濯機筐体６の背面との間に第２のコイルバネ（第２の付勢手段）７２を架設すると、水槽ユニット５が背面側に倒れる状態はより確実に補正される。第２のコイルバネ７２は、図３に示すように水槽３の下部に固定された下部支持金具７４から洗濯機筐体６の背面に、７２ａ、７２ｂの複数箇所で架設され、また、回転ドラム２の回転軸２ａに対し略対称の位置に配設されている。この第２のコイルバネ７２ａ、７２ｂの架設により、重心位置に回転方向に働く横振動に対し、第２の付勢手段が重心に対して略対称に支持することで回転方向に対して均等に補正を行い、水槽ユニット５の回転方向の揺れを抑えることになる。
【００２２】
前記防振ダンパー７０は、図４に示すように、シリンダ内にオイルを封入したオイルダンパー機構７８と、このオイルダンパー機構７８と同軸に設けられたコイルバネ機構７９とを備えて構成され、オイルダンパー機構７８の下端に固定され、外周部にコイルバネ機構７９が配置された支持軸８４は、洗濯機筐体６の基底部に固定された支持台７３に緩衝材７７を介して固定される。また、オイルダンパー機構７８を構成するピストンロッド８５は、水槽３の下部に固定された下部支持金具７４に緩衝材７７を介して固定される。
【００２３】
回転ドラム２は、その回転軸方向が図１に示すように、開口する正面側から底面となる背面側に向けて下向き傾斜をもって傾斜配置されているため、洗濯機筐体６の正面側に形成された傾斜面６ａに開閉自在に設けられた扉体９を開くと、回転ドラム２に対する洗濯物の出し入れする作業に際して腰を屈める具合が少なくてすみ、ドラム式洗濯機１の正面側に余裕のある空間を確保する必要もないので、洗面所などの狭い空間にも設置可能なドラム式洗濯機１に構成することができる。
【００２４】
なお、図３に示すように、水槽ユニット５上面に乾燥ユニット６１や給水ユニット６２を配設して構成している場合、水槽ユニット５の重心は回転ドラム２の回転軸２ａからずれてしまう。すなわち、第２のコイルバネ７２ａ、７２ｂには均等に荷重がかからなくなる。そういった場合は、第２の付勢手段７２ａ、７２ｂのそれぞれのバネ定数を重心が偏っている側を強くすることで水槽ユニットの回転方向の振動をより効率的に抑えることができる。これにより、実際にそくした構成での低振動化を実現できる。
【００２５】
（実施の形態２）
本発明は、第２の付勢手段を洗濯機筐体側の支持位置が回転ドラム側の支持位置に対し、回転ドラムを上面から見て外側の位置に配設されるようにしたものである。他の構成は上記実施の形態１と同じであり、詳細な説明は省略する。
【００２６】
以上のように構成した第２のコイルバネ７２ａ、７２ｂについて、その動作、作用を説明する。上記構成によれば、第２のコイルバネ７２は、図５に示すように水槽３の下部に固定された下部支持金具７４から洗濯機筐体６の背面に、７２ａ、７２ｂの複数箇所で架設され、また、回転ドラム２の回転軸２ａに対し略対称の位置に配設されている。洗濯機筐体６の背面の支持部８ａ、８ｂは、下部支持金具７４の支持部７４ａ、７４ｂよりも回転軸に対し外側に位置し、水槽ユニット５の重心側に向けて付勢している。
【００２７】
この第２のコイルバネ７２ａ、７２ｂの架設により、重心位置に回転方向に働く横振動に対しより効果的に補正され、水槽ユニット５の回転方向の揺れを抑えることになる。
【産業上の利用可能性】
【００２８】
以上のように、本発明にかかるドラム式洗濯機は、回転ドラムを収容した水槽ユニットをその重心から一方に外れた位置で防振ダンパーにより重量を支持し、他方に弾性付勢して所定位置に保持しているので、回転ドラムの回転に伴う振動が洗濯機筐体に伝わることを効果的に抑制することができ、特に水槽ユニットを傾斜配置して洗濯物の出し入れを容易にしたドラム式洗濯機において有効な構成となる。
【図面の簡単な説明】
【００２９】
【図１】本発明の実施の形態１のドラム式洗濯機における支持構造を示す断面図
【図２】同洗濯機の支持構造の正面図
【図３】同洗濯機の支持構造の上面図
【図４】同洗濯機の支持構造に適用した防振ダンパーの構成を示す正面図
【図５】本発明の実施の形態２のドラム式洗濯機における支持構造を示す上面図
【符号の説明】
【００３０】
１  ドラム式洗濯機
２  回転ドラム
３  水槽
５  水槽ユニット
６  洗濯機筐体
７  ドラム駆動モータ
７０  防振ダンパー
７１  第１のコイルバネ（第１の付勢手段）
７２ａ、７２ｂ  第２のコイルバネ（第２の付勢手段）
７４  下部支持金具
７５  上部支持金具
【図１】
2006034755.tif 000003
【図２】
2006034755.tif 000004
【図３】
2006034755.tif 000005
【図４】
2006034755.tif 000006
【図５】
2006034755.tif 000007